【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
被検試料に偏光方向が既知の光を入射させ、前記被検試料から出射した光の偏光方向を検知し、入射光と出射光の偏光方向の差より、前記被検試料中での偏光方向の回転角度を計測する旋光度計測方法であって、
前記入射光の偏光方向Ｘを変化および変調させ、
前記被検試料を透過した光のうち特定方向の偏光成分のみを光センサーで検知して出力信号を得、前記変調の信号を参照信号として前記出力信号を位相敏感検波して復調信号Ｙを得、
前記偏光方向Ｘから離散的に選択したｎ個の偏光信号Ｘi(ｉは２〜ｎの整数。)および前記偏光信号Ｘiに対応するｎ個の復調信号Ｙi(ｉは２〜ｎの整数。)から得られるｎ個の計測点Ｐi(Ｘi，Ｙi)より旋光度を算出することを特徴とする旋光度計測方法。
【請求項２】
入射光の偏光方向Ｘを離散的にｎ個の偏光信号Ｘiに変化させることを特徴とする請求項１記載の旋光度計測方法。
【請求項３】
自然旋光性物質および磁気旋光性物質を含む被検試料に磁場を印加するとともに偏光方向が既知の光を入射させ、前記被検試料から出射した光の偏光方向を変化および変調させ、前記自然旋光性物質に起因した旋光方向の変化量と磁場の印加により発現した旋光方向の変化量とが所定の関係になるときの前記磁場の大きさに基づいて、前記被検試料の旋光度を算出する旋光度計測方法であって、
前記磁場を印加することによって入射光の偏光方向Ｘを変化および変調し、
前記被検試料を透過した光のうち特定方向の偏光成分のみを光センサーで検知して出力信号を得、
前記変調の信号を参照信号として前記出力信号を位相敏感検波して復調信号Ｙを得、
前記偏光方向Ｘから離散的に選択したｎ個の偏光信号に対応する磁場強度Ｘi(ｉは２〜ｎの整数。)および前記偏光信号Ｘiに対応するｎ個の復調信号Ｙi(Ｘiは２〜ｎの整数。)から得られるｎ個の計測点Ｐi(Ｘi,Ｙi)より旋光度を算出することを特徴とする旋光度計測方法。
【請求項４】
前記磁場強度を離散的にｎ個の磁場強度に変化させることを特徴とする請求項３記載の旋光度計測方法。
【請求項５】
前記ｎが３以上で、前記ｎ個の計測点Ｐi(Ｘi,Ｙi)を、Ｘiを基準変数、Ｙiを従属変数として最小２乗計法の原理に基づいて直線回帰処理し、式（１）：
Ｙ＝Ａ＋Ｂ×Ｘ                              （１）
（式中、Ｙは復調信号を示す変数、Ａは算出された定数、Ｂは算出された定数、Ｘは偏光方向を示す変数である。）に示す回帰直線を算出し、前記回帰直線のＡ、Ｂおよび所定のＹからＸを算出し、前記Ｘより前記被検試料の旋光度を算出することを特徴とする請求項１〜４のいずれかに記載の旋光度計測方法。
【請求項６】
前記Ａが所定の最小値以上または所定の最大値以下である場合に計測結果が有効であると判定することを特徴とする請求項５記載の旋光度計測方法。
【請求項７】
前記Ａの所定の最大値が、計測対象になり得る被検溶液のうち最大透過率を有する被検溶液を計測した場合に算出されるＡであることを特徴とする請求項６記載の旋光度計測方法。
【請求項８】
前記計測点Ｐiと前記回帰直線との適合具合から、計測結果の信頼性を評価することを特徴とする請求項６記載の旋光度計測方法。
【請求項９】
前記計測点Ｐiと前記回帰直線との適合具合を、式（２）：
Ｃ＝Σ（δｉ）2                                 （２）
（式中、δi＝Ｙi−Ａ−Ｂ×Ｘi）、ｉは１〜ｎの整数、Σはｉが１〜ｎまでの総和である。）で示される偏差平方和Ｃを指標として判断することを特徴とする請求項８記載の旋光度計測方法。
【請求項１０】
前記計測点Ｐiと前記回帰直線との適合具合を、式（３）：              Ｄ＝Ｃ／Σ（Ａ＋Ｂ×Ｘi）2                  （３）
で示されるＤを指標として判断することを特徴とする請求項８記載の旋光度計測方法。
【請求項１１】
前記計測点Ｐiと前記回帰直線との適合具合を、式（４）：
Ｒ＝｛Σ（Ｘi−ｘ）×（Ｙi−ｙ）｝／                ｛Σ（Ｘi−ｘ）2×Σ（Ｙi−ｙ）2｝1/2  （４）
（式中、ｘ＝（ΣＸi）／ｎ、ｙ＝（ΣＹi）／ｎ）で示される相関係数Ｒを指標として判断することを特徴とする請求項８記載の旋光度計測方法。
【請求項１２】
前記指標が所定の最大値以下および／または最小値以下の場合に、計測結果が有効であると評価することを特徴とする請求項９〜１１のいずれかに記載の旋光度計測方法。
【請求項１３】
前記ｎが２で、前記２個の計測点Ｐ1(Ｘ1,Ｙ1)およびＰ2（Ｘ2，Ｙ2）を結ぶ直線を、式（５）：
Ｙ＝Ｅ＋Ｆ×Ｘ                              （５）
（式中、Ｙは復調信号を示す変数、Ｅは算出された定数、Ｆは算出された定数、Ｘは偏光方向を示す変数である。）に基づいて算出し、前記直線のＥ、Ｆおよび所定のＹよりＸを算出し、前記Ｘより前記被検試料の旋光度を算出することを特徴とする請求項１〜４のいずれかに記載の旋光度計測方法。
【請求項１４】
前記Ｅが所定の最小値以上または所定の最大値以下である場合に計測結果が有効であると判定することを特徴とする請求項１３記載の旋光度計測方法。
【請求項１５】
前記Ｅの所定の最大値が、計測対象になり得る被検溶液のうち最大透過率を有する被検溶液を計測した場合に算出されるＥであることを特徴とする請求項１４記載の旋光度計測方法。
【請求項１６】
計測結果が有効でないと評価された場合に、前記ｎ個の計測点Ｐi(Ｘi，Ｙi)のうち少なくとも１個の計測点Ｐiを再度計測し、再度計測した計測点Ｐi(Ｘi，Ｙi)に基づいて旋光度を計測し、再度の計測結果が有効と評価されるまで前記計測を繰り返すことを特徴とする請求項６〜１２、１４または１５記載の旋光度計測方法。
【請求項１７】
再度計測の回数が所定の回数を超えた場合は、計測行為を停止して前記被検溶液の旋光度計測を停止することを特徴とする請求項１６記載の旋光度計測方法。
【請求項１８】
計測結果が有効でないと評価された場合に、前記ｎ個の計測点Ｐi(Ｘi，Ｙi)のうち少なくとも１個の計測点Ｐiを再度計測し、前記再度の計測において、前記ｎ個の計測点Ｐi(Ｘi，Ｙi)以外の少なくとも１個の計測点Ｐj(Ｘj，Ｙj)（ただし、（Ｘj≠Ｘi））を計測することを特徴とする請求項１３〜１５のいずれかに記載の旋光度計測方法。
【請求項１９】
前記被検溶液が尿であって、請求項１〜１８のいずれかに記載の旋光度計測方法を用いて前記尿の旋光度を計測し、前記尿の自然旋光性物質の濃度を計測することを特徴とする尿検査方法。
【手続補正２】
【補正対象書類名】明細書
【補正対象項目名】００１２
【補正方法】変更
【補正の内容】
【００１２】
【課題を解決するための手段】
本発明は、被検試料に偏光方向が既知の光を入射させ、前記被検試料から出射した光の偏光方向を検知し、入射光と出射光の偏光方向の差より、前記被検試料中での偏光方向の回転角度を計測する旋光度計測方法であって、前記入射光の偏光方向Ｘを変化および変調させ、前記被検試料を透過した光のうち特定方向の偏光成分のみを光センサーで検知して出力信号を得、前記変調の信号を参照信号として前記出力信号を位相敏感検波して復調信号Ｙを得、前記偏光方向Ｘから離散的に選択したｎ個の偏光信号Ｘi(ｉは２〜ｎの整数。)および前記偏光信号Ｘiに対応するｎ個の復調信号Ｙi(ｉは２〜ｎの整数。)から得られるｎ個の計測点Ｐi(Ｘi，Ｙi)より旋光度を算出することを特徴とする旋光度計測方法に関する。
この場合、入射光の偏光方向Ｘを離散的にｎ個の偏光信号Ｘiに変化させることも好ましい。


【手続補正３】
【補正対象書類名】明細書
【補正対象項目名】００１４
【補正方法】変更
【補正の内容】
【００１４】
この場合、前記磁場を印加することによって入射光の偏光方向Ｘを変化および変調し、前記被検試料を透過した光のうち特定方向の偏光成分のみを光センサーで検知して出力信号を得、前記変調の信号を参照信号として前記出力信号を位相敏感検波して復調信号Ｙを得、前記偏光方向Ｘから離散的に選択したｎ個の偏光信号に対応する磁場強度Ｘi(ｉは２〜ｎの整数。)および前記偏光信号Ｘiに対応するｎ個の復調信号Ｙi(Ｘiは２〜ｎの整数。)から得られるｎ個の計測点Ｐi(Ｘi,Ｙi)より旋光度を算出する。
また、前記磁場強度を離散的にｎ個の磁場強度に変化させることも好ましい。